(57)【特許請求の範囲】
【請求項１】
熱交換器（３）と、この熱交換器（３）に対応して配置されるクロスフローファン（４）と、前記熱交換器（３）の風上側に配置されるエアフィルタ（６０）と、前記クロスフローファン（４）、前記熱交換器（３）及び前記エアフィルタ（６０）を収容する室内機ケーシング（２）とを備え、
前記室内機ケーシング（２）は、前記熱交換器（３）の少なくとも一部に対応して設けられて前記エアフィルタ（６０）で覆われる開口部（３４）を有し、
前記開口部（３４）の前縁中央部（３４ｃ）には、前記エアフィルタ（６０）の前端中央部（６０ｃ）と係合する第１係合部（３７）が設けられ、前記第１係合部（３７）は、前記エアフィルタ（６０）の前端中央部（６０ｃ）の表面に当接する上当接部（３７ａ）と、前記エアフィルタ（６０）の前端中央部（６０ｃ）の裏面に当接する２個の下当接部（３７ｂ）とを備え、前記上当接部（３７ａ）は、前記２個の下当接部（３７ｂ）との間に配置されて、正面視において前記上当接部（３７ａ）及び前記２個の下当接部（３７ｂ）は重ならないように前記開口部（３４）の前縁（３４ａ）に沿って配置され、
前記開口部（３４）の前縁（３４ａ）の少なくとも一方の前縁角部（３４ｄ）には、前記エアフィルタ（６０）の前端角部（６０ｄ）と係合する第２係合部（３８）が設けられている
空気調和機の室内機。
【請求項２】
請求項１に記載の空気調和機の室内機（１）において、
前記第２係合部（３８）は、前記開口部（３４）の前縁（３４ａ）から突出し前記エアフィルタ（６０）の前端角部（６０ｄ）の表面を押さえる凸部を有する
空気調和機の室内機。
【請求項３】
請求項２に記載の空気調和機の室内機（１）において、
前記第２係合部（１３８）は、前記凸部（１３９）と、前記凸部（１３９）よりも上側に配置され、上方かつ前方斜めに延びるガイド部（１４０）とを有する
空気調和機の室内機。
【請求項４】
請求項１〜３のいずれか一項に記載の空気調和機の室内機（１）において、
前記室内機ケーシング（２）は、前記エアフィルタ（６０）に対応する部分が平坦に構成された前面パネル（４０）を有する
空気調和機の室内機。
【発明の詳細な説明】
【技術分野】
【０００１】
本発明は、空気調和機の室内機についてそのエアフィルタの取り付け構造に関する。
【背景技術】
【０００２】
空気調和機の室内機として、熱交換器と、この熱交換器に対応して配置されるクロスフローファンと、熱交換器の風上に配置されるエアフィルタと、これらを収容する室内機ケーシングとを備えるものが知られている（特許文献１参照）。
【０００３】
室内機ケーシングには、熱交換器の少なくとも一部に対応するように開口部が設けられている。エアフィルタはこの開口部を覆い、空気に含まれる粉塵を捕集する。エアフィルタの清掃を可能とするため、エアフィルタは、室内機ケーシングの開口部に対して着脱可能に取り付けられる。
【０００４】
エアフィルタは、その後部を室内機ケーシングの後方に配置し、次いでエアフィルタの前端部を室内機ケーシングの開口部の前縁に設けられた係合部に係合することにより、室内機ケーシングに取り付けられる。
【先行技術文献】
【特許文献】
【０００５】
【特許文献１】特開２００６−１３２８６４号公報
【発明の概要】
【発明が解決しようとする課題】
【０００６】
ところで、エアフィルタは前端角部が反る場合がある。特に、エアフィルタの前端角部が表面側（熱交換器に対する面とは反対側の面側）に反ると、室内機ケーシングの開口部からエアフィルタの前端角部が浮き上がり、エアフィルタと開口部との間に隙間が生じる。そして、この隙間が大きいと、空気がエアフィルタを通過せずに直接熱交換器に侵入するといったことが生じる。この場合、熱交換器に埃が溜まるようになり、この結果、室内機の能力が低下する。
【０００７】
本発明はこのような事情に鑑みてなされたものであり、その目的は、エアフィルタの前端角部と室内機ケーシングの開口部の前縁角部との間の隙間が過大になることを抑制することができる空気調和機の室内機を提供することにある。
【課題を解決するための手段】
【０００８】
課題を解決する空気調和機の室内機は、熱交換器と、この熱交換器に対応して配置されるクロスフローファンと、前記熱交換器の風上側に配置されるエアフィルタと、前記クロスフローファン、前記熱交換器及び前記エアフィルタを収容する室内機ケーシングとを備え、前記室内機ケーシングは、前記熱交換器の少なくとも一部に対応して設けられて前記エアフィルタで覆われる開口部を有し、前記開口部の前縁中央部には、前記エアフィルタの前端中央部と係合する第１係合部が設けられ、前記第１係合部は、前記エアフィルタの前端中央部の表面に当接する上当接部と、前記エアフィルタの前端中央部の裏面に当接する２個の下当接部とを備え、前記上当接部は、前記２個の下当接部との間に配置されて、正面視において前記上当接部及び前記２個の下当接部は重ならないように前記開口部の前縁に沿って配置され、前記開口部の前縁の少なくとも一方の前縁角部には、前記エアフィルタの前端角部と係合する第２係合部が設けられている。
【０００９】
この構成によれば、エアフィルタの前端角部が第２係合部に係合する。このため、エアフィルタが反っている場合でも、エアフィルタの前端角部が所定位置に配置されるようになるため、エアフィルタの前端角部と開口部との間の隙間が過大になることが抑制されるようになる。
【００１０】
上記構成の空気調和機の室内機において、前記第２係合部は、前記開口部の前縁から突出し前記エアフィルタの前端角部の表面を押さえる凸部を有することが好ましい。
この構成によれば、エアフィルタの前端角部が表面側から第２係合部で押さえられる。すなわち、エアフィルタの前端角部が表面側に反っている場合に、前端角部が室内機ケーシングの内方に向けて押さえられる。このため、エアフィルタの前端角部と室内機ケーシングの開口部の前縁角部との間の隙間が小さくなる。
【００１１】
上記構成の空気調和機の室内機において、前記第２係合部は、前記凸部と、前記凸部よりも上側に配置され、上方かつ前方斜めに延びるガイド部とを有することが好ましい。
室内機ケーシングの開口部に対してエアフィルタの前端角部が大きく浮き上がるときは、凸部として構成される第２係合部にエアフィルタの前端角部を係合させることが難しくなる。
【００１２】
この点、上記構成では、エアフィルタの前端角部を押さえる凸部に対し、この凸部の上側にガイド部を配置する。そして、このガイド部を上方かつ前方斜めに延ばしている。このため、エアフィルタの前端角部が開口部に対して浮き上がる場合でも、前端角部の表面側がこのガイド部に接触する。そして、エアフィルタの下方に移動させると、前端角部がガイド部に沿って移動してこの第２係合部に係合するようになる。すなわち、上記構成によれば、エアフィルタの前端角部を第２係合部に適切かつ簡単に係合させることができる。
【００１３】
上記空気調和機の室内機において、前記室内機ケーシングは、前記エアフィルタに対応する部分が平坦に構成された前面パネルを有することが好ましい。
エアフィルタの前端角部の浮き上がりを押さえる手段として、前面パネルに突出部を設けて、前面パネルを閉じたときにこの突出部がエアフィルタの前端角部を押すように構成することが考えられる。しかし、このような構成の場合、前面パネルにおいて、突出部の部分が他の部分に比べて肉厚になるため、前面パネルの表面において突出部に対応するところに樹脂ひけが生じるおそれがある。樹脂ひけは、前面パネルの表面に現れるため、前面パネルの外観が損なわれる。
【００１４】
そこで、上記に示したように室内機ケーシングの開口部にエアフィルタの前端角部と係合する第２係合部を設ける一方、前面パネルにはこのような突出部を設けず、かつ前面パネルをエアフィルタに対応する部分を平坦な構造とする。これによって、エアフィルタの前端角部の浮き上がりを押さえ、かつ前面パネルの外観を良好なものとしている。
【発明の効果】
【００１５】
上記空気調和機の室内機によれば、エアフィルタの前端角部と室内機ケーシングの開口部の前縁角部との間の隙間が過大になることを抑制することができる。
【図面の簡単な説明】
【００１６】
【図１】室内機の正面図。
【図２】室内機の側面図。
【図３】図１のＡ−Ａ線に沿う断面図。
【図４】エアフィルタの一部を示す斜視図。
【図５】図５（Ａ）はケーシングの平面図、図５（Ｂ）はケーシングの正面図、図５（Ｃ）はケーシングの底面図。
【図６】ケーシングの第１係合部の斜視図。
【図７】ケーシングの第２係合部の斜視図。
【図８】エアフィルタが取り付けられた従来のケーシングの斜視図。
【図９】エアフィルタが取り付けられた本実施形態に係るケーシングの斜視図。
【図１０】変形例に係る第２係合部の斜視図。
【図１１】前面パネルにおいて、図１１（Ａ）はその正面図、図１１（Ｂ）はその平面図、図１１（Ｃ）はその背面図、図１１（Ｄ）は、その側面図。
【発明を実施するための形態】
【００１７】
図１〜図３を参照して、空気調和機の室内機１の一例を説明する。
図１は、室内機１の正面図を示す。図２は、室内機１の側面図である。図３は、図１のＡ−Ａ線に沿う断面図である。
【００１８】
これ以降、室内機１において図１に示される面（前面パネル４０側の面）を室内機１の正面として説明する。また、室内機１において前面パネル４０を前側とし、その反対側を後側とする。さらに、室内機１を正面視して左手側を室内機１の「左側」とし、右手側を室内機１の「右側」というものとする。
【００１９】
図１に示すように、室内機１は、正面視で横長の矩形を呈する。また、室内機１は、図２に示すように、背面側（底フレーム１０側）が略平坦であり、上面が前方に向けて緩やかに下降し、前面から下面にかけて湾曲した外形構造を有する。この室内機１は壁掛け型であり、背面が壁に面するようにして室内機１が壁に取り付けられる。
【００２０】
図３に示すように、室内機１は、熱交換器３と、熱交換器３の風下側に配置されるクロスフローファン４と、この熱交換器３の少なくとも一部を覆うエアフィルタ６０と、制御ユニット７と、これら装置を収容する室内機ケーシング２とを備える。
【００２１】
熱交換器３は、通過する空気と熱交換する。熱交換器３は、クロスフローファン４の上側を覆うように構成される。具体的には、熱交換器３は、クロスフローファン４の後側から前側にわたるように配置され、断面視で逆Ｖ字に類似する形状に構成される。
【００２２】
クロスフローファン４は、熱交換器３に対応して配置される。例えば、上面から空気を吸い込み、下面から空気を吹き出す室内機１の場合には、図３に示すように、クロスフローファン４は、熱交換器３の下側に配置される。
【００２３】
クロスフローファン４の一方の端面には、モータユニット５が取り付けられている（図１参照）。モータユニット５は、クロスフローファン４を回転させる。モータユニット５は、例えば、アウターロータ型モータにより構成される。
【００２４】
制御ユニット７は、室内機１の側方に配置されている（図１参照）。
この制御ユニット７は、空気調和機の運転制御に係るものであって、例えば、モータユニット５や、空気吹出口に設けられている風向調節羽根８等を制御する。
【００２５】
室内機ケーシング２は、図３に示すように、底フレーム１０と、ケーシング２０と、ケーシング２０に開閉可能に取り付けられる前面パネル４０とを備える。
室内機ケーシング２は、エアフィルタ６０を湾曲させた状態で保持する。エアフィルタ６０は、室内機ケーシング２の上部後方から前面下方にわたる範囲（すなわち、上部開口部３１）を覆うように配置される。本実施形態では、２枚のエアフィルタ６０を用いてこの範囲を覆っている。
【００２６】
エアフィルタ６０は室内機１において次のように配置される。
エアフィルタ６０の後部は、ケーシング２０の上部と熱交換器３との間に配置され、エアフィルタ６０の前部は、前面パネル４０と熱交換器３との間に配置される。エアフィルタ６０の裏面６０ｂは熱交換器３に面する。
【００２７】
図４に、エアフィルタ６０の斜視図を示す。
エアフィルタ６０は吸いこまれた空気の埃等を捕集する。エアフィルタ６０は、フィルタ枠部６１と、このフィルタ枠部６１に張られる濾過シート６２とを備える。フィルタ枠部６１は、矩形の外枠６３と、この外枠６３を補強する桟６４とにより構成されている。桟６４は、外枠６３における対向する２辺を互いに連結する。
【００２８】
また、エアフィルタ６０の前端中央部６０ｃ（外枠６３の前端中央部）において桟６４が延び出す部分には、ケーシング２０の第１係合部３７（図５（Ｂ）参照）に係合する枠係合部６６が設けられている。ここで、エアフィルタ６０の前端中央部６０ｃとは前端角部６０ｄを除く部分である。
【００２９】
また、エアフィルタ６０の前端部（外枠６３の前端部）には、エアフィルタ６０の反りを抑制するための溝６５が設けられている。この溝６５は、エアフィルタ６０の前端に沿うように形成されている。
【００３０】
図３及び図５を参照して、ケーシング２０の構造を説明する。
図５（Ａ）は、ケーシング２０の平面図であり、図５（Ｂ）は、その正面図であり、図５（Ｃ）は、その底面図である。
【００３１】
ケーシング２０は、制御ユニット７を収容する第１側部２１と、この第１側部２１とは反対側に位置する第２側部２２と、上板２３と、前板２４と、下板２５と、中央支持部２６とを有する。
【００３２】
上板２３は、ケーシング２０の上部に設けられて、第１側部２１と第２側部２２とを互いに連結する。前板２４は、ケーシング２０の前部に設けられて、第１側部２１と第２側部２２とを互いに連結する。下板２５は、ケーシング２０の下部に設けられて、第１側部２１と第２側部２２とを互いに連結する。中央支持部２６は、上板２３と前板２４とを上下方向に連結し、ケーシング２０を補強する。
【００３３】
図５（Ｂ）に示すように、ケーシング２０には、前面パネル４０のアーム４２（図１１参照）の先端部が取り付けられるアーム取付部２７と、前面パネル４０の係合爪４３と係合するパネル係合部２８とが設けられている。
【００３４】
アーム取付部２７は、第１側部２１の上部、及び第２側部２２の上部に設けられている。パネル係合部２８は、第１側部２１の下部、第２側部２２の下部、及び前板２４の中央部に設けられている。
【００３５】
また、図３に示すように、ケーシング２０は、クロスフローファン４等が取り付けられた底フレーム１０を収容する入口としての底開口部３０と、ケーシング２０の上面から前面にかけて設けられている上部開口部３１と、下面に設けられている下部開口部３９とを有する。
【００３６】
下部開口部３９は、前板２４と下板２５との間の空間を囲む部分であり、空気吹出口として機能する。下部開口部３９には、吹き出される空気の風向きを変える風向調節羽根８が取り付けられている。
【００３７】
上部開口部３１は、前板２４と上板２３との間の空間を囲む部分であり、空気を熱交換器３に導く流通口として機能する。上部開口部３１は、ケーシング２０の上部後方から前面下方にかけて湾曲する。
【００３８】
上部開口部３１は、上部を占める露出部３２と、下部を占める被覆部３３とに区画されている。露出部３２は、前面パネル４０で覆われず、外部に露出する。被覆部３３は、前面パネル４０で覆われる。
【００３９】
上部開口部３１の露出部３２には桟３２ａが設けられている。この桟３２ａは、ケーシング２０においてエアフィルタ６０が配置される部分よりも上側に位置するように設けられている。
【００４０】
上部開口部３１の被覆部３３には桟３３ａが設けられている。この桟３３ａは、ケーシング２０においてエアフィルタ６０が配置される部分の内側（室内機１の内方側）に位置するように設けられている。
【００４１】
図５（Ｂ）に示すように、上部開口部３１の全体（露出部３２及び被覆部３３を含む。）は、中央支持部２６によって、左右の２つの領域に区分されている。
両開口部（以下、左側の開口部を「第１開口部３４」、右側の開口部を「第２開口部３５」という。）それぞれはエアフィルタ６０で個別に覆われる。第１開口部３４と第２開口部３５とは同じ構造を有するため、以下、第１開口部３４について説明する。
【００４２】
図５（Ｂ）に示すように、第１開口部３４の側縁３４ｂには、エアフィルタ６０の両側を支持する支持部３６が設けられている。支持部３６は、エアフィルタ６０の裏面６０ｂに当接して、エアフィルタ６０を支持する。
【００４３】
第１開口部３４の前縁中央部３４ｃ（ここで、前縁中央部３４ｃとは、前縁角部３４ｄ，３４ｅの間の部分を示す。）には、エアフィルタ６０の前端中央部６０ｃと係合する第１係合部３７が設けられている。第１係合部３７は、第１開口部３４の前縁中央部３４ｃに少なくとも１つ設けられている。図５（Ｂ）に示す例では、前縁中央部３４ｃに２つの第１係合部３７が設けられている。
【００４４】
また、第１開口部３４の前縁３４ａにおける少なくとも一方の前縁角部３４ｄ，３４ｅには、エアフィルタ６０の前端角部６０ｄと係合する第２係合部３８が設けられている。
なお、図５（Ｂ）に示す例では、第１開口部３４の外側の前縁角部３４ｄに第２係合部３８が設けられている。第１開口部３４の内側の前縁角部３４ｅには、中央支持部２６を支持するリブ３６ａが設けられている。このリブ３６ａは、中央支持部２６に設けられた、エアフィルタ６０を支持する支持部３６の延長部として構成され、かつ第１係合部３７の下当接部３７ｂ（図６参照）の延長部として構成されている。このリブ３６ａは、中央支持部２６を補強し、かつエアフィルタ６０を裏面６０ｂから支持する。
【００４５】
図６に、第１係合部３７の斜視図を示す。
第１係合部３７は、エアフィルタ６０の裏面６０ｂに当接する２個の下当接部３７ｂと、エアフィルタ６０の表面６０ａに当接する上当接部３７ａとを有する。下当接部３７ｂは、エアフィルタ６０を支持する機能を有し、第１開口部３４の前縁３４ａに沿って設けられている。
【００４６】
室内機１の上当接部３７ａと下当接部３７ｂとの間の距離Ｄ（隙間の大きさ）は、エアフィルタ６０の厚さに対応する寸法に設定されている。
また、室内機１の左右方向において、上当接部３７ａは２個の下当接部３７ｂの間に配置されている。すなわち、ケーシング２０を正面視して上当接部３７ａと下当接部３７ｂとは互いに重ならないように配置されている。この構成は、ケーシング２０を一体成形する金型構造上の要請によるものである。
【００４７】
このように、第１開口部３４の前縁３４ａには２個の第１係合部３７が設けられ、４個の下当接部３７ｂが並列するが、図５（Ｂ）に示す例では、このうちの２個の下当接部３７ｂが共通要素として構成されている。このため、２個の第１係合部３７は、３個の下当接部３７ｂと２個の上当接部３７ａとにより構成される。
【００４８】
図７に、第２係合部３８の斜視図を示す。
第２係合部３８は、エアフィルタ６０の前端角部６０ｄの表面（フィルタ枠部６１の角部の表面）に当接する凸部として構成されている。具体的には、エアフィルタ６０の前端中央部６０ｃが第１係合部３７に係合したときに、エアフィルタ６０の前端角部６０ｄの表面が位置するところに、第２係合部３８が設けられている。この第２係合部３８は、エアフィルタ６０の前端の両前端角部６０ｄのうちの少なくとも一方に対応して設けられる。例えば、第２係合部３８は、第１開口部３４の前縁３４ａにおける外側の前縁角部３４ｄに設けられている。
【００４９】
次に、図８を参照して、従来のケーシングについて、その課題を説明する。
従来のケーシングにおいて、エアフィルタ６０の前端中央部６０ｃは第１開口部３４の前縁中央部３４ｃに設けられた第１係合部３７に係合する。これにより、エアフィルタ６０の前端中央部６０ｃと第１開口部３４の前縁中央部３４ｃとの間の隙間は所定距離以下に設定されるため、この部分において、エアフィルタ６０を通過せずに熱交換器３に直接侵入する空気は殆どなく、直接侵入する空気があったとしてもその量は少ない。
【００５０】
一方、従来のケーシングには、エアフィルタ６０の前端角部６０ｄに対応する第２係合部３８が設けられていないため、エアフィルタ６０の前端角部６０ｄは、第１開口部３４との関係上において位置決めされていない。このため、エアフィルタ６０の前端角部６０ｄの位置は定まらない。例えば、図８に示すように、エアフィルタ６０の前端角部６０ｄが表面６０ａ側に反っている場合は、第１開口部３４の前縁角部３４ｄとエアフィルタ６０の前端角部６０ｄとの間の隙間が、エアフィルタ６０が反っていない場合と比べて、大きくなる。特に、第１開口部３４の前縁角部３４ｄを構成する端面（側縁３４ｂまたは端縁３４ａ）とエアフィルタ６０の前端角部６０ｄを構成する端面との間に隙間が生じる。このため、エアフィルタ６０が反っていない場合に比べて、エアフィルタ６０を通過せずにこの隙間から熱交換器３に侵入する空気（図８矢印参照。）が増大するようになる。そうすると、熱交換器３に埃が溜まるようになって、室内機１の能力が低下する。
【００５１】
次に、図９を参照して、実施形態に係る第２係合部３８の作用を説明する。
エアフィルタ６０の前端中央部６０ｃは第１開口部３４の前縁中央部３４ｃに設けられた第１係合部３７に係合する。
【００５２】
エアフィルタ６０の前端角部６０ｄは第１開口部３４の前縁角部３４ｄに設けられた第２係合部３８に係合する。この構成によれば、エアフィルタ６０の前端角部６０ｄが表面６０ａ側に反る場合であっても、エアフィルタ６０の前端角部６０ｄの表面が第２係合部３８に押さえられるため、第１開口部３４の前縁角部３４ｄとエアフィルタ６０の前端角部６０ｄとの間の隙間が大きくなることが抑制される。特に、第１開口部３４の前縁角部３４ｄを構成する端面（側縁３４ｂまたは端縁３４ａ）とエアフィルタ６０の前端角部６０ｄを構成する端面との間に隙間が大きくなることが抑制される。これによって、エアフィルタ６０が反る場合においても、エアフィルタ６０を通過せずにこの隙間から熱交換器３に流通する空気が増大することが抑制され、また、室内機１の能力低下も抑制される。
【００５３】
次に、エアフィルタ６０の取り付け作業、及び取り付け作業上での課題について説明する。
エアフィルタ６０を第１開口部３４に装着するときは、まず、エアフィルタ６０の後方部を第１開口部３４の上部に設けられた桟３２ａの下側に挿入する。そして、エアフィルタ６０を第１開口部３４に沿うよう湾曲させて、エアフィルタ６０の前端を第１開口部３４の前縁３４ａに当接させて、エアフィルタ６０の前端部を第１係合部３７及び第２係合部３８に係合させる。
【００５４】
ところで、室内機１の設置後、期間の経過によってエアフィルタ６０が反るようになったとき、エアフィルタ６０の清掃後の取り付け作業において、この反りに起因してエアフィルタ６０の前端角部６０ｄの係合が難しいものとなる。また、場合によってはエアフィルタ６０の前端角部６０ｄが第２係合部３８に入らない状態で使用者に気付かれずに、そのまま放置されてしまうことも想定される。また、室内機１は部屋の壁面上方に配置されることが多く、エアフィルタ６０の取り付け作業自体が面倒である。これらのことから、エアフィルタ６０の取り付け作業が簡単かつ確実に行われることが望ましい。
【００５５】
図１０を参照して、このような課題を解決する変形例に係る第２係合部１３８の構造を説明する。
第２係合部１３８は、エアフィルタ６０の前端角部６０ｄの表面（フィルタ枠部６１の角部の表面）に当接する凸部１３９と、凸部１３９よりも上側に配置され、上方かつ前方斜めに延びるガイド部１４０とを有する。ガイド部１４０は、エアフィルタ６０の前端角部６０ｄを凸部１３９の内側に導く。
【００５６】
例えば、エアフィルタ６０の前端角部６０ｄが表面６０ａ側に反っているとき、エアフィルタ６０の前端角部６０ｄの表面６０ａ側がガイド部１４０の下面に当接する。このため、エアフィルタ６０の取り付けの際、エアフィルタ６０の前端を第１開口部３４の前縁３４ａ側に移動させると、エアフィルタ６０の前端角部６０ｄがガイド部１４０に沿って移動し、凸部１３９に入るようになる。このように、この第２係合部１３８の構成によれば、エアフィルタ６０の取り付け作業が簡単かつ確実なものとなる。
【００５７】
次に、図１１を参照して、前面パネル４０の構造を説明する。
前面パネル４０について、図１１（Ａ）は正面図を、図１１（Ｂ）は平面図を、図１１（Ｃ）は背面図を、図１１（Ｄ）は側面図を示す。
【００５８】
前面パネル４０は、パネル本体４１と、ケーシング２０への取り付け部としてのアーム４２とを備える。
前面パネル４０は、アーム４２を介してケーシング２０に回転自在に取り付けられる。アーム４２は、パネル本体４１の裏面上部の２箇所に設けられている。
【００５９】
また、前面パネル４０の裏面４０ｂには、パネル本体４１をケーシング２０に係合させるための係合爪４３が設けられている。係合爪４３は、例えば、前面パネル４０の裏面４０ｂの両側、裏面下側中央部、及び制御ユニット７が配置される部分４０ｃに対応して設けられている。
【００６０】
前面パネル４０においてエアフィルタ６０に対応する部分４０ｄ（すなわち熱交換器３に対応する部分）は、平坦構造に構成されている。ここで、平坦構造とは、係合爪４３等の突起が設けられていないことを示し、曲面構造や複数の平面で構成される構造は平坦な構造に含まれる。
【００６１】
平坦構造は、前面パネル４０においてエアフィルタ６０に対応する部分４０ｄ（すなわち、前面パネル４０のほとんどの部分）の外観を向上させる。
前面パネル４０のように肉薄の板状構造体の裏面４０ｂに大きい突起を設けると、突起の反対側の面（前面パネル４０の表面４０ｂ）に樹脂ひけによる凹みが形成されることがある。前面パネル４０の表面４０ａ側は室内空間デザインの一部を構成するものであり、樹脂ひけ等のわずかな凹みであっても、目立つものとなる。このような事情から、前面パネル４０における目につきやすい部分（エアフィルタ６０に対応する部分４０ｄ）は、平坦に構成される。
【００６２】
以下、本実施形態に係る室内機１の効果を説明する。
（１）室内機ケーシング２は、熱交換器３の少なくとも一部に対応して設けられる第１開口部３４を有する。第１開口部３４はエアフィルタ６０で覆われる。この第１開口部３４の前縁中央部３４ｃには、エアフィルタ６０の前端中央部６０ｃと係合する第１係合部３７が設けられる。また、第１開口部３４の前縁の少なくとも一方の前縁角部３４ｄ，３４ｅには、エアフィルタ６０の前端角部６０ｄと係合する第２係合部３８が設けられる。
【００６３】
この構成によれば、エアフィルタ６０の前端角部６０ｄが第２係合部３８に係合する。このため、エアフィルタ６０が反っている場合でも、エアフィルタ６０の前端角部６０ｄが所定位置に配置されるようになるため、エアフィルタ６０の前端角部６０ｄと第１開口部３４との間の隙間が過大になることが抑制される。
【００６４】
（２）上記構成の室内機１において、第２係合部３８は、第１開口部３４の前縁３４ａから突出し、エアフィルタ６０の前端角部６０ｄの表面を押さえる凸部を有することが好ましい。
【００６５】
この構成によれば、エアフィルタ６０の前端角部６０ｄが表面６０ａ側から第２係合部３８で押さえられる。すなわち、エアフィルタ６０の前端角部６０ｄが表面６０ａ側に反っている場合に、前端角部６０ｄが室内機ケーシング２の内方に向けて押さえられる。このため、エアフィルタ６０の前端角部６０ｄと室内機ケーシング２の第１開口部３４の前縁角部３４ｄとの間の隙間が小さくなる。
【００６６】
（３）上記構成の室内機１において、図１０に示すように、第２係合部１３８は、凸部１３９と、この凸部１３９よりも上側に配置され、上方かつ前方斜めに延びるガイド部１４０とを有することが好ましい。
【００６７】
室内機ケーシング２の第１開口部３４に対してエアフィルタ６０の前端角部６０ｄが大きく浮き上がるときは、凸部として構成される第２係合部３８にエアフィルタ６０の前端角部６０ｄを係合させることが難しくなる。
【００６８】
この点、上記構成では、エアフィルタ６０の前端角部６０ｄを押さえる凸部１３９に対し、この凸部１３９の上側にガイド部１４０を配置する。そして、このガイド部１４０を上方かつ前方斜めに延ばしている。このため、エアフィルタ６０の前端角部６０ｄが第１開口部３４に対して浮き上がる場合でも、前端角部６０ｄの表面６０ａ側がこのガイド部１４０に接触する。そして、エアフィルタ６０の下方に移動させると、前端角部６０ｄがガイド部１４０に沿って移動してこの第２係合部１３８に係合するようになる。すなわち、上記構成によれば、エアフィルタ６０の前端角部６０ｄを第２係合部１３８に適切かつ簡単に係合させることができる。
【００６９】
（４）上記構成の室内機１において、室内機ケーシング２は、エアフィルタ６０に対応する部分が平坦に構成された前面パネル４０を有することが好ましい。
エアフィルタ６０の前端角部６０ｄの浮き上がりを押さえる手段として、前面パネル４０に突出部を設けて、前面パネル４０を閉じたときにこの突出部がエアフィルタ６０の前端角部６０ｄを押すように構成することが考えられる。しかし、このような構成の場合、前面パネル４０において、突出部の部分が他の部分に比べて肉厚になるため、前面パネル４０の表面４０ａにおいて突出部に対応するところに樹脂ひけが生じるおそれがある。樹脂ひけは、前面パネル４０の表面４０ａに現れるため、前面パネル４０の外観が損なわれる。
【００７０】
そこで、上記に示したように室内機ケーシング２の第１開口部３４にエアフィルタ６０の前端角部６０ｄと係合する第２係合部３８を設ける一方、前面パネル４０には突出部を設けず、かつ前面パネル４０をエアフィルタ６０に対応する部分を平坦な構造とする。これによって、エアフィルタ６０の前端角部６０ｄの浮き上がりを押さえ、かつ前面パネル４０の外観を良好なものとする。
【００７１】
（他の実施形態）
なお、実施態様は上記に示した態様に限られるものではなく、これを例えば以下に示すように変更して実施することもできる。
【００７２】
・エアフィルタ６０の前端角部６０ｄと係合する第２係合部３８の構造は、上記に示す構造に限定されない。上記実施形態では、図７に示すように、第２係合部３８は、第１開口部３４の前縁３４ａ（前板２４の端面）から突出するように設けられているが、このような構成に代えて、第２係合部３８を第１開口部３４の側縁（第２側部２２の端面）から突出するように設けてもよい。
【００７３】
・エアフィルタ６０の前端角部６０ｄと係合する第２係合部３８の変形例（図１０参照。）として、ガイド部１４０を有するものを示したが、このガイド部１４０の構成は上記に示した構造に限定されない。図１０に示す変形例に係る第２係合部１３８では、ガイド部１４０は、凸部１３９から延長するように設けられているが、凸部１３９から離してガイド部１４０を設けてもよい。
【００７４】
・なお、実施形態に係る第１係合部３７、第２係合部３８、及び変形例の第２係合部１３８は、成形上においてケーシング２０と一体に設けることが好ましい。凸部１３９やガイド部１４０を別部材として構成すると工数が増えるためである。
【００７５】
［付記］
実施形態及び他の実施形態には、上記に示した技術思想のほか、以下に示す技術思想が含まれる。
【００７６】
［付記１］
熱交換器３と、この熱交換器３に対応して配置されるクロスフローファン４と、前記熱交換器３の風上側に配置されるエアフィルタ６０と、前記クロスフローファン４、前記熱交換器３及び前記エアフィルタ６０を収容する室内機ケーシング２とを備え、前記室内機ケーシング２は、前記熱交換器３に対応して設けられる上部開口部３１を有し、上下方向にわたる中央支持部２６によって前記上部開口部３１が左右に並列される第１開口部３４と第２開口部３５とに区画され、第１及び第２開口部３４，３５それぞれが前記エアフィルタ６０で覆われるものであり、前記前記第１及び第２開口部３４，３５の前縁中央部には、前記エアフィルタ６０の前端中央部６０ｃと係合する第１係合部３７が設けられ、前記第１及び第２開口部３４，３５の前縁の外側の前縁角部に、前記エアフィルタ６０の前端角部６０ｄと係合する第２係合部３８が設けられ、前記第１開口部３４の前縁と前記中央支持部２６とにより構成される角部及び前記第２開口部３５の前縁と前記中央支持部２６とにより構成される角部には前記中央支持部２６を補強しかつエアフィルタ６０を支持するリブ３６ａが設けられている空気調和機の室内機１。
【００７７】
この構成は、図５（Ｂ）に示される構造を含むものである。
すなわち、第１開口部３４において、前縁３４ａの外側の前縁角部３４ｄには、前記エアフィルタ６０の前端角部６０ｄと係合する第２係合部３８が設けられている。第１開口部３４において、前縁３４ａの内側の前縁角部３４ｅ、すなわち第１開口部３４の前縁３４ａと中央支持部２６とにより構成される角部には、リブ３６ａが設けられている。このリブ３６ａは、中央支持部２６を補強しかつエアフィルタ６０を支持する。第２開口部３５の構造は、第１開口部３４と同様である。
【００７８】
このような構成によれば、次の効果を奏する。
上記に示した実施形態とは異なり、第１開口部３４の前縁角部３４ｄ，３４ｅそれぞれに、第２係合部３８を設けることも可能である。この場合は、エアフィルタ６０の両側が反っている場合でも、エアフィルタ６０の前端角部６０ｄが所定位置に配置されるようになるため、エアフィルタ６０の前端角部６０ｄと第１開口部３４との間の隙間が過大になることが抑制される。一方、このような構成によれば、ケーシング２０の骨組みである中央支持部２６の強度が低下するおそれがある。そこで、上記構成のように、前縁３４ａの内側の前縁角部３４ｅ、すなわち第１開口部３４の前縁３４ａと中央支持部２６とにより構成される前縁角部３４ｅにリブ３６ａを設ける。これによって、中央支持部２６の根本部分の強度を補強することができる。
【符号の説明】
【００７９】
１…室内機、２…室内機ケーシング、３…熱交換器、４…クロスフローファン、５…モータユニット、７…制御ユニット、８…風向調節羽根、１０…底フレーム、２０…ケーシング、２１…第１側部、２２…第２側部、２３…上板、２４…前板、２５…下板、２６…中央支持部、２７…アーム取付部、２８…パネル係合部、３０…底開口部、３１…上部開口部、３２…露出部、３２ａ…桟、３３…被覆部、３３ａ…桟、３４…第１開口部、３４ａ…前縁、３４ｂ…側縁、３４ｃ…前縁中央部、３４ｄ…前縁角部、３４ｅ…前縁角部、３５…第２開口部、３６…支持部、３６ａ…リブ、３７…第１係合部、３７ａ…上当接部、３７ｂ…下当接部、３８…第２係合部、３９…下部開口部、４０…前面パネル、４０ａ…表面、４０ｂ…裏面、４０ｃ…部分、４０ｄ…部分、４１…パネル本体、４２…アーム、４３…係合爪、６０…エアフィルタ、６０ａ…表面、６０ｂ…裏面、６０ｃ…前端中央部、６０ｄ…前端角部、６１…フィルタ枠部、６２…濾過シート、６３…外枠、６４…桟、６５…溝、６６…枠係合部、１３８…第２係合部、１３９…凸部、１４０…ガイド部。
【図１】
0005971233.tif 000002
【図２】
0005971233.tif 000003
【図３】
0005971233.tif 000004
【図４】
0005971233.tif 000005
【図５】
0005971233.tif 000006
【図６】
0005971233.tif 000007
【図７】
0005971233.tif 000008
【図８】
0005971233.tif 000009
【図９】
0005971233.tif 000010
【図１０】
0005971233.tif 000011
【図１１】
0005971233.tif 000012